(57)【特許請求の範囲】
【請求項１】
楽曲記憶手段と、分類テーブル記憶手段と、演奏手段と、操作子と、表示手段と、制御手段とを備えるカラオケ装置であって、
該楽曲記憶手段は、複数の曲データを記憶し、
前記分類テーブル記憶手段は、分類テーブルを記憶し、
該分類テーブルは、複数のグループの順序を指示するリストであって、
該グループは、複数のカラオケ曲の順序を指示するリストであって、
前記演奏手段は、前記制御手段の制御にしたがってカラオケ曲に対応する曲データを演奏し、
前記操作子は、利用者の操作に従って選曲操作を可能とし、
前記制御手段は、表示処理と、移動処理とを行い、
該表示処理は、前記分類テーブルに基づき、演奏中の現カラオケ曲の曲名と、現カラオケ曲が属する現グループにおける現カラオケ曲の前後のカラオケ曲の曲名を一列に、現グループの前後のグループに属するカラオケ曲の曲名を現グループの両側に平行に、かつ、現カラオケ曲の曲名を他の曲名と識別可能とするよう該表示手段に表示させ、
前記移動処理は、カラオケ曲の曲データ演奏が終了した場合は次曲処理を、カラオケ曲の曲データの演奏中に前方あるいは後方を指示する選曲操作が行われた場合はジャンプ処理を、カラオケ曲の曲データの演奏中にグループ移動を指示する選曲操作が行われた場合はグループ変更処理を行い、
前記次曲処理は、現グループにおける次のカラオケ曲を演奏させ、
前記ジャンプ処理は、現グループにおける前方あるいは後方のカラオケ曲を演奏させ、
前記グループ変更処理は、現グループの前あるいは後のグループのカラオケ曲を演奏させる
カラオケ装置。
【請求項２】
前記分類テーブル記憶手段は、カテゴリーに対応した複数の前記分類テーブルを記憶し、
前記制御手段における前記移動処理は、カラオケ曲の曲データの演奏中に、前記カテゴリー移動を指示する選曲操作が行われた場合は、カテゴリー変更処理を行い、
該カテゴリー変更処理は、選曲操作で指示されたカテゴリーに対応する前記分類テーブルに基づいて前記表示処理を行う
請求項１に記載のカラオケ装置。
【発明の詳細な説明】
【０００１】
【発明の属する技術分野】
この発明は、歌唱者が選曲しなくても様々なカラオケ曲を自動的に演奏し、その演奏中のカラオケ曲に関連して新たな選曲が可能なカラオケ装置およびカラオケ装置の演奏曲決定方法に関する。
【０００２】
【発明が解決しようとする課題】
一般的なカラオケ装置でカラオケ曲を予約する場合、カラオケ曲の曲番号が記載された目次本で曲を探し、その曲番号をリモコンから入力して歌唱する。しかし、歌いたいカラオケ曲がなかなか見つからない場合がある。また、自分で目次本を見て選曲するのが煩わしい場合がある。
【０００３】
このため、予約する曲がなかなか思いつかず時間を要して演奏していない空白時間を作ってしまい、時間制のカラオケ料金を無駄に使っていることがあった。また、カラオケ曲が演奏されていないと室内がシーンとしてしまい、座が白けてしまうという問題点もあった。さらに、本当に歌いたい曲を見つけることができずに、それほど歌いたい曲でなくても取り合えずという予約で歌ってしまい、無為な時間を過ごすことがあった。
【０００４】
この発明は、自動的に様々な曲を演奏し、且つその演奏されている曲に関連して利用者が自分で選曲が可能なカラオケ装置およびカラオケ装置の演奏曲決定方法を提供することを目的とする。
【０００５】
【課題を解決するための手段】
請求項１の発明は、楽曲記憶手段と、分類テーブル記憶手段と、演奏手段と、操作子と、表示手段と、制御手段とを備えるカラオケ装置であって、該楽曲記憶手段は、複数の曲データを記憶し、前記分類テーブル記憶手段は、分類テーブルを記憶し、該分類テーブルは、複数のグループの順序を指示するリストであって、該グループは、複数のカラオケ曲の順序を指示するリストであって、前記演奏手段は、前記制御手段の制御にしたがってカラオケ曲に対応する曲データを演奏し、前記操作子は、利用者の操作に従って選曲操作を可能とし、前記制御手段は、表示処理と、移動処理とを行い、該表示処理は、前記分類テーブルに基づき、演奏中の現カラオケ曲の曲名と、現カラオケ曲が属する現グループにおける現カラオケ曲の前後のカラオケ曲の曲名を一列に、現グループの前後のグループに属するカラオケ曲の曲名を現グループの両側に平行に、かつ、現カラオケ曲の曲名を他の曲名と識別可能とするよう該表示手段に表示させ、前記移動処理は、カラオケ曲の曲データ演奏が終了した場合は次曲処理を、カラオケ曲の曲データの演奏中に前方あるいは後方を指示する選曲操作が行われた場合はジャンプ処理を、カラオケ曲の曲データの演奏中にグループ移動を指示する選曲操作が行われた場合はグループ変更処理を行い、前記次曲処理は、現グループにおける次のカラオケ曲を演奏させ、前記ジャンプ処理は、現グループにおける前方あるいは後方のカラオケ曲を演奏させ、前記グループ変更処理は、現グループの前あるいは後のグループのカラオケ曲を演奏させることを特徴とする。
【０００６】
請求項２の発明は、前記分類テーブル記憶手段は、カテゴリーに対応した複数の前記分類テーブルを記憶し、前記制御手段における前記移動処理は、カラオケ曲の曲データの演奏中に、前記カテゴリー移動を指示する選曲操作が行われた場合は、カテゴリー変更処理を行い、該カテゴリー変更処理は、選曲操作で指示されたカテゴリーに対応する前記分類テーブルに基づいて前記表示処理を行うことを特徴とする。
【００１０】
この発明では、複数のカラオケ曲をグループ分けして各グループ毎にリスト化した分類テーブルを持ち、この分類テーブルに基づいて、カラオケ曲を連続して自動演奏し、且つ利用者が自由に選曲できるようにしている。カラオケ曲を演奏しているときに利用者が選曲操作をしない場合には、その曲が好みの曲であると判断して、その曲が終了したときにその曲の所属するグループの次の曲を順番に演奏してゆく。選曲操作をしたときは、その操作に応じてグループ内の前方の曲や後方の曲に演奏をジャンプさせたり、異なるグループの曲に演奏をジャンプさせたりする。これにより、利用者はカラオケ装置に自動演奏させながら自分の好みのグループを選択し、そのグループのなかでも好みにあった曲のみを選曲することができる。
【００１１】
また、この発明では、それぞれ異なるカテゴリーに基づいてカラオケ曲を分類した複数の分類テーブルを持ち、利用者の操作に応じて連続自動演奏に用いる分類テーブルを切り換えるようにしている。これにより、利用者が現在演奏しているカラオケ曲を好んでいる場合に、どのカテゴリー（たとえばジャンル、年代、歌手など）に基づいて好んでいるのかを選択することができ、その好みのカテゴリーで分類されたグループに所属する曲を連続演奏させることができる。
【００１２】
【発明の実施の形態】
図１はこの発明の実施形態であるカラオケ装置のブロック図である。同図（Ａ）は全体のブロック図である。制御部であるＣＰＵ１０に、バスを介してＲＯＭ１１、ＲＡＭ１２、ハードディスク１３、ＣＤ−ＲＯＭドライブ１４、ＢＧＶチェンジャ１５、音源１６、音声信号処理部１７、映像処理部１８、モデム１９、および、ユーザインタフェース２０が接続されている。
【００１３】
ＲＯＭ１１には、この装置を起動させるための起動プログラムなどが記憶されている。ＲＡＭ１２には、装置が起動されたときシステムプログラムなどのプログラムが読み込まれ、カラオケ曲を演奏するときにカラオケ曲の曲データが読み込まれる。ハードディスク１３およびＣＤ−ＲＯＭ１４には、複数のカラオケ曲の曲データが記憶されており、さらにハードディスク１３には、この複数の曲データを複数のグループに分類する分類テーブルが記憶されている。分類テーブルとしては、それぞれ異なるカテゴリーに基づいてカラオケ曲を分類した複数の分類テーブルが設けられている。カテゴリーおよび分類テーブルについては、後で詳細に説明する。
【００１４】
ＢＧＶチェンジャ１５はＤＶＤなどの交換可能なディスクメディアを複数収納し、そのなかから必要なものをトレイにセットして再生することのできる装置である。ディスクメディアにはカラオケ曲の背景映像となる映像が多数記録されている。このディスクメディアに記録されている背景映像についても後で詳細に説明する。
【００１５】
ＢＧＶチェンジャ１５が再生した映像は映像処理部１８に入力される。映像処理部１８は、ＣＰＵ１０から入力された歌詞の文字パターンを背景映像上に展開してモニタ（不図示）に出力して表示する。通信制御部１９は、配信センタ（不図示）と通信するための制御部である。配信センタは定期的にカラオケ装置と通信し、新曲のカラオケ曲の曲データを配信する。カラオケ装置は配信されたカラオケ曲をハードディスク１３に記憶する。
【００１６】
音源１６は、カラオケ曲の曲データを入力して楽音を生成する処理部である。音声信号処理部１７は、マイク（不図示）から入力された歌唱音声を分析したりする機能部である。図示しないが音源１６にはアンプが接続され、このアンプで増幅されたカラオケ演奏の楽音がスピーカ（不図示）から出力される。
【００１７】
ユーザインタフェース２０は、操作部や表示部を含んでおり、利用者の選曲操作を受け付けたり、現在演奏中の曲に関する情報を表示する。なお、リモコン３（同図（Ｃ）参照）の受光部もこのユーザインタフェース２０に含まれている。
【００１８】
同図（Ｂ）は、ＢＧＶチェンジャの概略構成図である。ＢＧＶチェンジャには複数枚のＤＶＤが設けられているとともに、ＤＶＤを再生するためのドライブ２１が１または複数（図示では３つ）設けられている。ＣＰＵ１０からの指示により、各ドライブ２１−１〜３にＤＶＤがセットされ、順次または並行して映像が再生される。各ドライブ２１−１〜３にはデコーダ２２−１〜３が接続されている。デコーダ２２（２２−１〜３）は、ＭＰＥＧなどのデジタル圧縮画像を復調してＮＴＳＣの映像信号に変換する回路である。この映像信号は、映像処理部１８に入力される。映像処理部では３系統の映像信号のなかから適当な映像を選択する機能を備えている。選択の切り換えはクロスフェードで行う。また、選択した映像をカラーからセピアに変換していわゆる懐メロ映像に変換する機能も備えている。このように選択・加工された映像に歌詞の文字パターンを合成してモニタに出力する。
【００１９】
また、同図（Ｃ）は上記カラオケ装置に付属のリモコン装置の一部を示す図である。この図では、このカラオケ装置の機能である連続自動演奏モードに関連する部分のみを示しており、エンターキー３０、右（前方）キー３１、左（後方）キー３２、上キー３３、下キー３４を備えている。これらのキーの機能については後で詳述する。
【００２０】
図２は、分類テーブルの例を示す図である。同図（Ａ）は年代のカテゴリーで複数のカラオケ曲を分類した分類テーブルを示している。また、同図（Ｂ）はジャンルカテゴリーで複数のカラオケ曲を分類した分類テーブルを示している。
【００２１】
各カラオケ曲の曲データには、そのカラオケ曲の特徴を表す属性情報が複数書き込まれている。複数の情報は、それぞれ異なるカテゴリーにおいてこのカラオケ曲（曲データ）がぞのグループに所属するかを示す情報である。カテゴリーは、たとえば、同図（Ａ）に示す年代、同図（Ｂ）に示すジャンルのほか、オリジナル歌手、季節、場所などがあり、各カテゴリには、たとえば、以下のようなグループがある。
【００２２】
年代（なつメロ、オールディーズ、６０年代、７０年代、８０年代、９０年以後）
ジャンル（演歌、Ｊポップス、洋楽、アニメ、フォーク、その他）
オリジナル歌手（……主な歌手全て……）
季節（春、夏、秋、冬）
場所（海、山、街、家、その他）
各カラオケ曲（曲データ）は、それぞれのカテゴリーにおいて、それぞれ自己の属性情報に対応するグループに所属する。なお、ハードディスク１３、ＣＤ−ＲＯＭ１４に記憶されている全ての曲データがこの分類テーブルに分類（グループ分け）されている必要はなく、その一部でもよい。また、各カテゴリーの分類テーブルで分類している曲データの数や曲が異なっていてもよい。
【００２３】
図２において、左右の曲名の列がそのカテゴリーにおいて同じグループに所属する曲るリストである。複数のリストが関連するものの順番に上下に配置されている。たとえば、年代の場合には、「なつメロ、オールディーズ、６０年代、７０年代、８０年代、９０年以後」のように年代が連続するように配置される。左右方向に各グループに属する全ての曲名が配列され、上下に全てのグループが関連あるものから順に配置されて１つのカテゴリーの分類テーブルとなる。このカラオケ装置のハードディスク１３には、上記複数種類のカテゴリーの分類テーブルが記憶されている。なお、この分類テーブルの作成処理は、ハードディスク１３、ＣＤ−ＲＯＭ１４に記憶しているカラオケ曲についてカラオケ装置が行ってもよく、配信センタ側で予め作成しておき、これを曲データのダウンロードなどの機会に一緒にダウンロードするようにしてもよい。
【００２４】
なお、同図のの分類テーブルの各欄には曲名が記載されているが、各欄には曲名のほかその曲を識別し、曲データを検索するための曲番号などの情報も対応して記憶されているものとする。
【００２５】
利用者によってリモコンから曲番号が入力される通常の選曲が行われると、カラオケ装置はその曲のみを演奏するが、連続自動演奏モードでは、上記分類テーブルに基づいてカラオケ曲を連続演奏する。通常モードでカラオケ曲を演奏しているときに利用者がリモコンのエンターキー３０をオンしたとき、連続自動演奏モードに移行する。このとき所定の（たとえばデフォルトで設定されている）カテゴリーの分類テーブルを読み出し、そのとき演奏中のグループの曲を順番に再生してゆく。
【００２６】
そして、このとき同時に分類テーブルの一部を図３に示すような形態でモニタに表示する。この図は、年代のカテゴリーが選択されており、「風立ちぬ」の曲が演奏されている状態を示している。このまま「風立ちぬ」の曲が終了すると自動的に「お久しぶりね」の曲に進むが、「風立ちぬ」の曲の途中で、利用者が右キー（→）３１をオンすると「風立ちぬ」の演奏を中止して次の曲である「お久しぶりね」の曲にジャンプする。また、「風立ちぬ」の曲の途中で、利用者が左キー（←）３２をオンすると、「風立ちぬ」の演奏を中止してこの曲の先頭にジャンプし、続けて左キー（←）３２をオンするとその手前の曲である「スニーカーブルース」の曲にジャンプする。このように左右キー３１、３２は同じグループ内でジャンプして選曲する場合に用いられるキースイッチである。
【００２７】
また、上キー（↑）３３をオンすると、そのとき演奏している曲（風立ちぬ）を中止して上のグループにジャンプし、下キー（↓）３４をオンすると、そのとき演奏している曲を中止して下のグループにジャンプする。「風立ちぬ」の曲が演奏されているときに上下キー３３、３４がオンされるとその上下のグループで対応する位置にある「メモリーグラス」または「ｗｉｌｄ  ｗｏｒｌｄ」の曲にジャンプしてこの曲を演奏する。そして、その後は、このグループの曲をリスト順に演奏してゆくようになる。
【００２８】
さらに、自動連続演奏モード中に利用者がエンターキー３０をオンすると、連続演奏に使用する分類テーブルのカテゴリーを変更し、新たな分類テーブルを読み出す。たとえば、エンターキー３０がオンされる毎に「年代→ジャンル→オリジナル歌手→季節→場所→年代→」の順にカテゴリーが切りえられる。エンターキー３０がオンされてカテゴリー（分類テーブル）が年代からジャンルに変更された場合でも演奏される曲は同じ曲「風立ちぬ」であるが、分類がジャンルに基づくものに変更されており、「風立ちぬ」の所属するグループがポップスになっている。
なお、図３はカラオケ曲の演奏中の画面であり、背景映像に歌詞テロップが合成されて表示されているうえに、さらに分類テーブルがＯＳＤで表示されている。
【００２９】
また、ＢＧＶチェンジャ１５にセットされているディスク（ＤＶＤ）は、各カラオケ曲に個別に対応するＢＧＶ（背景映像）を記録したディスク、各カラオケ曲に個別に対応せず各種のジャンルに対応する３０秒程度の映像を多数記録したディスクが含まれている。通常モードで利用者の選曲により１曲ずつ演奏する場合には、個別に対応するＢＧＶを再生して曲の雰囲気を盛り上げることが好ましいが、自動連続演奏モードにおいては、利用者の好みでない曲が演奏されたときなど、頻繁に次の曲や隣のグループの曲にジャンプ操作されることが考えられるため、各カラオケ曲に対応する個別の背景映像を読み出して再生するという処理が困難である。
【００３０】
そこで、このカラオケ装置では、自動連続演奏モード時には、図４に示すように、３０秒映像を記録したディスクを３つのドライブのそれぞれにセットし、各ドライブにそれぞれ異なるジャンルの映像を交代で再生させることによって、同じ映像を繰り返すことなく、且つ突然曲がジャンプした場合でも即座に対応できるようにしている。
【００３１】
図５は、この発明の自動連続演奏モード時の動作を示すフローチャートである。このフローチャートにおいて、自動連続演奏モードがスタートすると、まず最初に演奏する第１曲目を選曲する（ｓ１）。この選曲は、ランダムに行ってもよく、１曲目のみ、通常の選曲操作（目次本で曲番号を見つけてリモコンで予約する操作）で利用者に選択させてもよい。なお、この実施形態では、通常モードのカラオケ演奏を行っているときにエンターキー３０をオンするとその曲を１曲目としてこの自動連続演奏モードに入るようにしている。次に、モニタに表示する分類テーブルのカテゴリを選択する（ｓ２）。すなわち、モニタには、図３に示すように、選曲された曲を中心に、前後の曲および隣（上下）のグループの曲を表示するが、どのカテゴリに基づいて分類されたテーブルでこの前後の曲および上下グループの曲を表示するかを選択する。この選択も、ランダムに選択してもよく、利用者に選択させてもよい。また、このモードがスタートするときのモードをデフォルトで（たとえば年代というように）決定しておいてもよい。
【００３２】
カテゴリが選択されると、そのカテゴリーの分類テーブルを読み出し（ｓ３）、この分類テーブルからｓ１で選曲された第１曲目の曲が所属するグループのリストを読み出す（ｓ４）。このリストの読み出しは、上記第１曲目を中心として前後数曲分でよい。次に、上記選択された曲が所属するグループの上下にあるグループのリストのうち、ｓ４で読み出した箇所に対応する箇所を読み出す（ｓ５）。そして、これらを図３に示すようにモニタに表示する（ｓ６）。
【００３３】
上記処理でモニタに曲のリストを表示するとともに、選曲された曲データをハードディスク１３から読み出し（ｓ７）、これを音源１６に入力するなどして演奏処理を実行する（ｓ８）。この曲を演奏をしながら、曲が終了するか（ｓ１０）、利用者がリモコン操作をするか（ｓ１１、ｓ１２、ｓ１３）を監視している。利用者が何も操作をしないと、カラオケ装置は、このカラオケ曲を全コーラス演奏する。そして、曲が終了すると（ｓ１０）、同じグループのリストの次の曲を選曲し（ｓ１４）、この曲が中心になるようにリストの先の曲を読み出してリスト表示を更新する（ｓ１５）。こののち、新たに選曲された演奏をスタートするためｓ７に進む。
【００３４】
一方、カラオケ曲の演奏中に左右キー３１、３２が操作された場合には（ｓ１１）、操作されたキーに応じて前または次の曲を選曲する（ｓ１６）。すなわち、右キー３１がオンされた場合には現在演奏中の曲と同じグループの次の曲（右隣に表示されている曲）を選曲する。また、左キー３２がオンされた場合には現在演奏中の曲と同じグループの一つ手前の曲（左隣に表示されている曲）を選曲する。そして、この選曲された曲がリストの中心になるようにリストの先または手前の曲を読み出してリスト表示を更新する（ｓ１７）。こののち、新たに選曲された演奏をスタートするためｓ７に進む。
【００３５】
また、カラオケ曲の演奏中に上下キー３３、３４が操作された場合には（ｓ１２）、操作されたキーに応じて上または下のグループに移動して現在演奏中のカラオケ曲に対応する曲を選曲する（ｓ１８）。すなわち、上キー３３がオンされた場合には、現在演奏中のグループの上に表示されているグループに移動し、現在演奏中の曲に対応する曲（演奏中の曲の真上に表示されている曲）を選曲する。下キー３４がオンされた場合には、現在演奏中のグループの下に表示されているグループに移動し、現在演奏中の曲に対応する曲（演奏中の曲の真下に表示されている曲）を選曲する。そして、この選曲に応じて、上に移動した場合には、もう一つ上のグループのリストを読み出し、下に移動した場合には、もう一つ下のグループのリストを読み出してモニタのリスト表示を更新する（ｓ１９）。こののち、新たに選曲された演奏をスタートするためｓ７に進む。
【００３６】
一方、カラオケ曲の演奏中にエンターキー３０が押下された操作された場合には（ｓ１３）、演奏する曲（選曲）は変更せずにモニタに表示するリストのカテゴリーを変更する。すなわち、上述したような順番（年代→ジャンル→オリジナル歌手→季節→場所）で次のカテゴリーを選択し（ｓ２０）、そのカテゴリの分類テーブルを読み出す（ｓ２１）。この分類テーブルから現在演奏中の曲が所属するグループのリストを読み出す（ｓ２２）。このリストの読み出しは、ｓ４の場合と同様に、演奏中の曲を中心として前後数曲分でよい。次に、上記選択された曲が所属するグループの上下にあるグループのリストのうち、ｓ２２で読み出した箇所に対応する箇所を読み出す（ｓ２３）。そして、これらのリストを図３に示すようにモニタに表示する（ｓ２４）。こののち、現在演奏中の曲の演奏を継続するため、ｓ１０以下の待機ルーチンにもどる。
【００３７】
このように、この実施形態では、カラオケ曲を複数のグループに分類して選曲された曲が属するグループの曲を順次自動演奏することで、利用者の好みにあった曲を連続して演奏することができる。また、同一グループ内で前後に選曲をジャンプさせる前後キーを設けたこととにより、グループ内に好みでない曲があった場合には、前キーを操作してその曲を飛ばして次の曲に進むことができ、また、同じ曲を繰り返したり手前の曲の戻ったりする場合には後方キーを操作すればよい。また、上下キーを操作すれば他のグループに移動するので、現在演奏中の曲を中心に自由に曲の選択をすることができる。
【００３８】
また、上記のようにカラオケ曲を複数のグループに分類してテーブル化した分類テーブルを、複数のカテゴリーについて作成し、エンターキーをオンしたときに選曲に使用する（モニタに表示する）分類テーブルのカテゴリーを変更するようにしたことにより、好みの曲を中心として様々な切り口（カテゴリー）で分類されたリストを連続演奏させることができる。
【００３９】
また、この分類テーブルによる演奏曲のログ（カテゴリー名、グループ名、曲名）を記録しておき、演奏された曲順、ジャンプされた曲、グループ間・カテゴリー間の移動の履歴などに基づいて分類テーブルを更新するようにしてもよい。たとえば、演奏された曲順やジャンプされた曲に基づいてグループ内の曲を加除したり曲の配列を変更したりすることで、より歌いやすい分類テーブルを作成することができる。また、グループ間・カテゴリー間の移動の履歴に基づいてカテゴリー、グループを組み換えることで、より歌唱者に利用しやすい分類テーブルを作成することができる。
【００４０】
また、配信センタが、複数のカラオケ装置の演奏ログを吸い上げて収集し、これに基づいて上記分類テーブルの更新を行い、この更新された分類テーブルを各カラオケ装置に再配信することで、各カラオケ装置では、より歌唱者の好みにあった分類テーブルで連続演奏をすることができる。
【００４１】
【発明の効果】
以上のようにこの発明によれば、利用者は、カラオケ装置にカラオケ曲を連続して自動演奏させながら、その連続して自動演奏されるカラオケ曲のグループが自分の好みであればそのまま連続して自動演奏を続けさせ、好みでないグループの場合にはグループを変更したりグループ分け（カテゴリー）そのものを変更して自分の好みのグループを検索することができる。また、好みのグループであっても中には好みでない曲もあるがこの場合にはその曲をスキップ（前へジャンプ）することもでき、また、同じグループで同じ曲を繰り返したり手前の曲に戻ったりすることも可能である。これにより、利用者は、自分で歌いたいカラオケ曲を選択する負担がなくなり、且つ効率的に自分の好みの曲のグループを検索することができるようになる。
【図面の簡単な説明】
【図１】この発明の実施形態であるカラオケ装置のブロック図
【図２】複数のカラオケ曲を分類した分類テーブルの例を示す図
【図３】カラオケ装置のモニタの表示例を示す図
【図４】背景映像の再生手順の例を示す図
【図５】カラオケ装置の動作を示すフローチャート
【符号の説明】
１…カラオケ装置、３…リモコン、
１０…ＣＰＵ、１１…ＲＯＭ、１２…ＲＡＭ、１３…ハードディスク、１４…ＣＤ−ＲＯＭ、１５…ＢＧＶチェンジャ、１６…音源、１７…音声信号処理部、１８…映像処理部、１９…通信制御部、２０…ユーザインタフェース、
２１（２１−１〜３）…ＤＶＤドライブ、２２（２２−１〜３）…デコーダ
【図１】
0003858735.tif 000002
【図２】
0003858735.tif 000003
【図３】
0003858735.tif 000004
【図４】
0003858735.tif 000005
【図５】
0003858735.tif 000006